(57)【要約】【課題】内部のスペースを有効に活用し、シートバックの体格を小さくできる乗物用シートを提供すること。【解決手段】車両用シート１は、乗員の背部を支持するシートバック１３と、シートバック１３の後方側に、スライド移動可能に取り付けられ、画像を表示可能なディスプレイ本体部６と、ディスプレイ本体部６を駆動させるための駆動部３６と、を備えている。シートバック１３の上部には、シートバック１３の骨格を構成するバックアッパフレーム３３が設けられている。駆動部３６は、バックアッパフレーム３３により構成された収容空間３３０に収容されている。【選択図】図７
2017210160.tif 000002
【特許請求の範囲】
【請求項１】
乗物用シートであって、
乗員の背部を支持するシートバックと、
前記シートバックの後方側に、スライド移動可能に取り付けられ、画像を表示可能な表示本体部と、
前記表示本体部を駆動させるための駆動部と、を備え、
前記シートバックの上部には、前記シートバックの骨格を構成するアッパフレームが設けられ、
前記駆動部は、前記アッパフレームにより構成された収容空間に収容されている、乗物用シート。
【請求項２】
前記収容空間は、前記シートバックの後方側に開口する開口部を有する、請求項１に記載の乗物用シート。
【請求項３】
前記アッパフレームは、前記シートバックの幅方向に延びる前面部と、前記前面部の上端及び下端からそれぞれ前記シートバックの後方側に延びる上面部及び下面部と、を有する、請求項２に記載の乗物用シート。
【請求項４】
前記シートバックの両側部の少なくとも一方には、前記アッパフレームに連結されたサイドフレームが設けられ、前記駆動部は、前記表示本体部をスライド移動可能に支持する支持部に取り付けられ、前記支持部は、取付ブラケットを介して前記サイドフレームに取り付けられている、請求項１〜３のいずれか１項に記載の乗物用シート。
【請求項５】
前記取付ブラケットは、前記支持部が取り付けられる第１の取付面と、前記サイドフレームが取り付けられる第２の取付面と、を有する、請求項４に記載の乗物用シート。
【発明の詳細な説明】
【技術分野】
【０００１】
本開示は、乗物用シートに関する。
【背景技術】
【０００２】
従来、乗員の背部を支持するシートバックと、シートバックの後方側にスライド移動可能に取り付けられ、画像を表示可能な表示本体部と、表示本体部を駆動させるための駆動部と、を備えた乗物用シートが知られている（特許文献１参照）。
【先行技術文献】
【特許文献】
【０００３】
【特許文献１】特開２０１０−２４１３３４号公報
【発明の概要】
【発明が解決しようとする課題】
【０００４】
しかしながら、従来の乗物用シートでは、表示本体部の近くに、表示本体部を駆動させる例えばモータ等の駆動部を配置する有効なスペースがない。そのため、駆動部を搭載することによってシートバックの体格が大きくなるという問題があった。特に、駆動部を表示本体部の下方に配置すると、後方側の乗物用シートに着座する乗員の足元スペースが狭くなる場合があった。
【０００５】
本開示は、シートバック内部のスペースを有効に活用し、シートバックの体格を小さくできる乗物用シートを提供する。
【課題を解決するための手段】
【０００６】
本開示の一の態様である乗物用シートは、乗員の背部を支持するシートバックと、シートバックの後方側に、スライド移動可能に取り付けられ、画像を表示可能な表示本体部と、表示本体部を駆動させるための駆動部と、を備えている。シートバックの上部には、シートバックの骨格を構成するアッパフレームが設けられている。駆動部は、アッパフレームにより構成された収容空間に収容されている。
【０００７】
上記乗物用シートは、表示本体部を駆動させる例えばモータ等の駆動部を、シートバックの上部に設けられたアッパフレームにより構成された収容空間に収容している。すなわち、シートバックの骨格を構成するアッパフレームに、駆動部を収容する収容空間を形成し、その収容空間に駆動部を配置している。そのため、シートバック内部のスペースを有効に活用できる。これにより、シートバックの薄型化等、シートバックの体格を小さくできる。また、後方側の乗物用シートに着座する乗員の足元スペースを十分に確保できる。
【０００８】
上記乗物用シートにおいて、収容空間は、シートバックの後方側に開口する開口部を有していてもよい。この場合には、シートバックの後方側に配置される表示本体部の近くに、表示本体部を駆動させる駆動部を配置できる。
【０００９】
また、アッパフレームは、シートバックの幅方向に延びる前面部と、前面部の上端部及び下端部からそれぞれシートバックの後方側に延びる上面部及び下面部と、を有していてもよい。この場合には、シートバックの後方側に開口する開口部を有する収容空間を容易に形成できる。
【００１０】
また、シートバックの両側部の少なくとも一方には、前記アッパフレームに連結されたサイドフレームが設けられ、駆動部は、表示本体部をスライド移動可能に支持する支持部に取り付けられ、支持部は、取付ブラケットを介してサイドフレームに取り付けられていてもよい。この場合には、表示本体部の近くに駆動部を配置でき、さらにアッパフレームの収容空間に駆動部を精度良く配置できる。
【００１１】
また、取付ブラケットは、前記支持部が取り付けられる第１の取付面と、前記サイドフレームが取り付けられる第２の取付面と、を有していてもよい。この場合には、取付ブラケットを介して支持部とサイドフレームとを容易に固定でき、さらに取付ブラケットを介して駆動部の位置を容易に調整できる。
【図面の簡単な説明】
【００１２】
【図１】車両用シートを後方側から見た斜視図である。
【図２】車両用シートを構成する部材を示す展開斜視図である。
【図３】支持プレートに支持されたディスプレイ本体部を表側から見た斜視図である。
【図４】ディスプレイ本体部を裏側から見た斜視図である。
【図５】図５（Ａ）は支持プレートに支持された格納状態のディスプレイ本体部を上側から見た斜視図であり、図５（Ｂ）は支持プレートに支持された格納状態のディスプレイ本体部を下側から見た斜視図である。
【図６】支持プレートに支持された使用状態のディスプレイ本体部を下側から見た斜視図である。
【図７】ディスプレイ本体部の格納状態を示す説明図である。
【図８】ディスプレイ本体部の使用状態を示す説明図である。
【発明を実施するための形態】
【００１３】
以下、本開示の実施形態を図面と共に説明する。
本実施形態は、本開示の乗物用シートを自動車等に用いられる車両用シートに適用したものである。
【００１４】
なお、本実施形態において、各図に付された上下前後左右の方向を示す矢印は、各図相互の関係を理解しやすくするために記載したものである。本開示は、各図に付された方向に限定されるものではない。
【００１５】
図１に示すように、車両用シート（乗物用シート）１は、乗員の臀部を支持するシートクッション（図示省略）と、乗員の背部を支持するシートバック１３と、シートバック３の上方に配置され、乗員の頭部を支持するヘッドレスト１４（後述する図７、図８参照）と、を備えている。
【００１６】
シートバック３は、シートバック３の上部の後面を構成する上側バックボード２１及び下側バックボード２２を有する。上側バックボード２１には、画像を表示可能な表示部６１を有するディスプレイ本体部（表示本体部）６を内側に格納する格納部２３が設けられている。格納部２３の上端には、上方側に開口する開口部２４が形成されている。
【００１７】
図２〜図８に示すように、シートバック３は、シートバック３の骨格を構成するバックフレーム３０を有する。バックフレーム３０は、シートバック３の左側部及び右側部にそれぞれ配置された一対のバックサイドフレーム（サイドフレーム）３１、３２を有する。一対のバックサイドフレーム３１、３２は、上下方向において長手状に延びるように配置されている。
【００１８】
また、バックフレーム３０は、シートバック３の上部に配置されたバックアッパフレーム（アッパフレーム）３３を有する。バックアッパフレーム３３は、一対のバックサイドフレーム３１、３２の上端部同士の間において左右方向（車両用シート１の幅方向）に架設されている。
【００１９】
バックアッパフレーム３３は、左右方向に延びる前面部３３１と、前面部３３１の上端から後方側に延びる上面部３３２と、前面部３３１の下端から後方側に延びる下面部３３３と、を有する。また、バックアッパフレーム３３は、後方側に開口する開口部３３４を有する。バックアッパフレーム３３の内側には、前面部３３１、上面部３３２及び下面部３３３に囲まれた収容空間３３０が形成されている。
【００２０】
バックフレーム３０には、板状のベースプレート（支持部）４が取り付けられている。ベースプレート４は、バックアッパフレーム３３の後側に配置されている。ベースプレート４は、一対の取付ブラケット３４、３５を介して、一対のバックサイドフレーム３１、３２に取り付けられている。
【００２１】
取付ブラケット３４は、ベースプレート４が取り付けられる第１の取付面３４１と、バックサイドフレーム３１が取り付けられる第２の取付面３４２と、をそれぞれ二箇所に有する。第１の取付面３４１は、第２の取付面３４２よりも後方側に位置する。第１の取付面３４１には、ベースプレート４がピン止めされている。第２の取付面３４２には、バックサイドフレーム３１が溶接されている。
【００２２】
取付ブラケット３５は、ベースプレート４が取り付けられる第１の取付面３５１と、バックサイドフレーム３２が取り付けられる第２の取付面３５２と、をそれぞれ二箇所に有する。第１の取付面３５１は、第２の取付面３５２よりも後方側に位置する。第１の取付面３５１には、ベースプレート４がピン止めされている。第２の取付面３５２には、バックサイドフレーム３２が溶接されている。
【００２３】
ベースプレート４の前面には、取付プレート３７を介して、駆動部３６が取り付けられている。駆動部３６は、ディスプレイ本体部６を駆動させるモータ（図示省略）を有する。モータは、制御装置（図示省略）と電気的に接続されており、各種の操作（例えば、乗員のスイッチ操作等）によって駆動するように構成されている。駆動部３６は、バックアッパフレーム３３の内側に形成された収容空間３３０に収容されている。
【００２４】
ベースプレート４の後面の下端部には、第１のストッパー４１がピン止めされている。ベースプレート４の後面の上端部には、第２のストッパー４２がピン止めされている。第２のストッパー４２は、一対の脚部４２１、４２２と、軸部４２３と、を有する。軸部４２３は、ピン４２３ａと、ピン４２３ａを挿通する筒部４２３ｂと、を有する。軸部４２３は、ピン４２３ａを筒部４２３ｂに挿通することにより、一対の脚部４２１、４２２に連結されている。
【００２５】
ベースプレート４の後面の中央部には、伝達部材４３が配置されている。伝達部材４３に設けられたギヤ歯と駆動部３６に設けられたギヤ歯とが噛み合うように構成されていることにより、駆動部３６のモータのトルク（回転力）を伝達部材４３に伝えることができる。
【００２６】
ベースプレート４の後面の右端部及び左端部には、それぞれ上下方向に延びるスライドレール４４、４５がピン止めされている。スライドレール４４、４５には、それぞれスライドレール４４、４５に沿って上下方向にスライド可能に構成されたスライダ４６、４７が取り付けられている。スライダ４６、４７には、スライドプレート５が取り付けられている。スライドプレート５の左端部及び右端部は、それぞれスライダ４６、４７にピン止めされている。
【００２７】
スライドプレート５は、連結ピン（図示省略）を介して、伝達部材４３に連結されている。スライドプレート５は、駆動部３６のモータのトルクが伝達部材４３を介して伝達されると、スライダ４６、４７を介して、スライドレール４４、４５に沿って上下方向にスライド移動することができる。スライドプレート５の中央部には、後方側に折れ曲がるように突出して形成された爪部５１が設けられている。
【００２８】
スライドプレート５には、ディスプレイ本体部６が取り付けられている。ディスプレイ本体部６の後面には、画像を表示可能な表示部６１が設けられている。ディスプレイ本体部６の前面の下端部には、回転ヒンジ部６９が設けられている。回転ヒンジ部６９は、ヒンジカバー６２と、ヒンジカバー６２を左右方向に挿通するヒンジピン６３と、を有する。ヒンジカバー６２には、ディスプレイ本体部６が前方側へ倒れる方向に付勢状態となるように、トーションばね（図示省略）を介してヒンジピン６３が装着されている。
【００２９】
ヒンジピン６３の左端部及び右端部には、それぞれ取付片部６４、６５が固定されている。取付片部６４、６５は、スライドプレート５と共にスライダ４６、４７にピン止めされている。ディスプレイ本体部６は、スライドプレート５、スライダ４６、４７、及びスライドレール４４、４５を介して、ベースプレート４に対して上下方向にスライド移動可能に支持されている。
【００３０】
ディスプレイ本体部６の回転ヒンジ部６９には、第１の突出部６６及び第２の突出部６７が設けられている。第１の突出部６６は、ヒンジカバー６２の上部から前方斜め上方側に突出している。第２の突出部６７は、第１の突出部６６の下側に形成され、ヒンジカバー６２から前方側に突出している。
【００３１】
次に、車両用シート１のディスプレイ本体部６の動作について説明する。
図７、図８に示すように、上記構成の車両用シート１において、ディスプレイ本体部６は、上下方向にスライド移動することにより、シートバック１３の格納部２３に最も格納された格納状態（第１の状態）と、格納状態よりも上方に位置し、格納状態よりもシートバック１３の格納部２３の外部に露出した使用状態（第２の状態）と、を切り替え可能に構成されている。
【００３２】
図７に示すように、格納状態において、ディスプレイ本体部６は、その一部が格納部２３の内側に格納されている。すなわち、ディスプレイ本体部６は、その一部が格納部２３の外部に露出している。ディスプレイ本体部６は、ベースプレート４に対して略平行状態で配置されている。ディスプレイ本体部６の上端位置は、シートバック１３の上端位置と略同じである。
【００３３】
ディスプレイ本体部６の表示部６１は、その一部が格納部２３の外部に露出している。表示部６１は、後方側に向けて露出している。表示部６１における格納部２３の外部に露出する部分の上下方向の長さ（高さ）ｈは、表示部６１の上下方向の長さ（高さ）Ｈの１／３以上である。
【００３４】
ディスプレイ本体部６の第２の突出部６７は、スライドプレート５の爪部５１に接触している。また、第２の突出部６７は、ベースプレート４の第１のストッパー４１に接触している。具体的には、第２の突出部６７は、第１のストッパー４１に対して上下方向に当接している。なお、格納状態において、第２の突出部６７と爪部５１とが接触しない構成としてもよい。また、格納状態において、第２の突出部６７と第１のストッパー４１とが接触しない構成としてもよい。
【００３５】
格納状態において、ディスプレイ本体部６の露出部分（上部）に対して、例えば、乗員が手を掛けた状態で後方側に荷重を掛けた場合には、ディスプレイ本体部６第２の突出部６７とスライドプレート５の爪部５１とが係合して、ディスプレイ本体部６の後方側への移動、具体的には回転ヒンジ部６９を介した後方回動を規制する。
【００３６】
また、格納状態において、ディスプレイ本体部６の露出部分（上部）に対して、例えば、乗員が手を掛けた状態で前方側に荷重を掛けた場合には、ディスプレイ本体部６の第２の突出部６７とベースプレート４の第１のストッパー４１とが係合して、ディスプレイ本体部６の前方側への移動、具体的には回転ヒンジ部６９を介した前方回動を規制する。
【００３７】
さらに、格納状態において、ディスプレイ本体部６の露出部分（上部）に対して、例えば、乗員が手を掛けた状態で下方側に荷重を掛けた場合には、ディスプレイ本体部６の第２の突出部６７とベースプレート４の第１のストッパー４１とが係合して、ディスプレイ本体部６の下方側へのスライド移動を規制する。
【００３８】
図８に示すように、格納状態において、乗員がディスプレイ本体部６を上昇させるスイッチ操作等を行い、ディスプレイ本体部６を上方にスライド移動（図８のＡ１方向にスライド移動）させると、ディスプレイ本体部６の第１の突出部６６がベースプレート４の第２のストッパー４２に係合する（図８の二点鎖線位置）。このとき、ディスプレイ本体部６と共にスライドプレート５も上方にスライド移動する。
【００３９】
さらに、ディスプレイ本体部６を上方にスライド移動させると、第１の突出部６６と第２のストッパー４２とが係合した状態で、ディスプレイ本体部６がトーションばねの付勢力に抗して、前方側に傾くように前方回動（図８のＢ１方向に回動）する。これにより、ディスプレイ本体部６の表示部６１全体が格納部２３の外部に露出した使用状態となる（図８の実線位置）。
【００４０】
使用状態において、ディスプレイ本体部６に対して、例えば、乗員が手を掛けた状態で後方側に荷重を掛けた場合には、ディスプレイ本体部６の第１の突出部６６とベースプレート４の第２のストッパー４２とが係合して、ディスプレイ本体部６の後方側への移動、具体的には回転ヒンジ部６９を介した後方回動を規制する。
【００４１】
また、使用状態において、ディスプレイ本体部６に対して、例えば、乗員が手を掛けた状態で前方側に荷重を掛けた場合には、ディスプレイ本体部６とヘッドレスト１４とが接触して、ディスプレイ本体部６の前方側への移動、具体的には回転ヒンジ部６９を介した前方回動を規制する。また、ディスプレイ本体部６の第１の突出部６６とスライドプレート５の爪部５１とが係合して、ディスプレイ本体部６の前方回動を規制する。このとき、ディスプレイ本体部６は、スライドプレート５の爪部５１よりも先にヘッドレスト１４に接触する。
【００４２】
そして、使用状態において、乗員がディスプレイ本体部６を下降させるスイッチ操作等を行うと、ディスプレイ本体部６がトーションばねの付勢力によって後方回動（図８のＢ２方向に回動）し、ベースプレート４に対して略平行状態となる。そして、ディスプレイ本体部６を下方にスライド移動（図８のＡ２方向にスライド移動）させると、格納状態（図７）に戻る。
【００４３】
次に、本実施形態の車両用シート１における作用効果について説明する。
本実施形態の車両用シート１は、ディスプレイ本体部６を駆動させるモータ等の駆動部３６を、シートバック１３の上部に設けられたバックアッパフレーム３３により構成された収容空間３３０に収容している。すなわち、シートバック１３の骨格を構成するバックアッパフレーム３３に、駆動部３６を収容する収容空間３３０を形成し、その収容空間３３０に駆動部３６を配置している。そのため、シートバック１３内部のスペースを有効に活用できる。これにより、シートバック１３の薄型化等、シートバック１３の体格を小さくできる。また、後方側の車両用シート１に着座する乗員の足元スペースを十分に確保できる。
【００４４】
また、バックアッパフレーム３３の収容空間３３０は、シートバック１３の後方側に開口する開口部３３４を有する。そのため、シートバック１３の後方側に配置されるディスプレイ本体部６の近くに、ディスプレイ本体部６を駆動させる駆動部３６を配置できる。
【００４５】
また、バックアッパフレーム３３は、シートバック１３の幅方向に延びる前面部３３１と、前面部３３１の上端部及び下端部からそれぞれシートバック１３の後方側に延びる上面部３３２及び下面部３３３と、を有する。そのため、シートバック１３の後方側に開口する開口部３３４を有する収容空間３３０を容易に形成できる。
【００４６】
また、シートバック１３の両側部（左側部及び右側部）には、バックアッパフレーム３３に連結されたバックサイドフレーム３１、３２が設けられ、駆動部３６は、ディスプレイ本体部６をスライド移動可能に支持するベースプレート４に取り付けられ、ベースプレート４は、取付ブラケット３４、３５を介してバックサイドフレーム３１、３２に取り付けられている。そのため、ディスプレイ本体部６の近くに駆動部３６を配置でき、さらにバックアッパフレーム３３の収容空間３３０に駆動部３６を精度良く配置できる。
【００４７】
また、取付ブラケット３４、３５は、ベースプレート４が取り付けられる第１の取付面３４１、３５１と、バックサイドフレーム３１、３２が取り付けられる第２の取付面３４２、３５２と、を有する。そのため、取付ブラケット３４、３５を介してベースプレート４とバックサイドフレーム３１、３２とを容易に固定でき、さらに取付ブラケット３４、３５を介して駆動部３６の位置を容易に調整できる。
【００４８】
（その他の実施形態）
本開示は、上記実施形態に何ら限定されるものではなく、本開示を逸脱しない範囲において種々の態様で実施しうることはいうまでもない。
【００４９】
（１）上記実施形態では、本開示の乗物用シートを自動車に用いられる車両用シート１に適用したが、例えば、自動車以外の鉄道等に用いられる車両用シートに適用してもよいし、航空機、船舶等の他の乗物に用いられるシートに適用してもよい。
【００５０】
（２）上記実施形態では、格納状態において、ディスプレイ本体部６の一部がシートバック１３の格納部２３の外部に露出する構成としたが、例えば、格納状態において、ディスプレイ本体部６全体がシートバック１３の格納部２３に格納される構成としてもよい。
【００５１】
（３）上記実施形態における１つの構成要素が有する機能を複数の構成要素として分散させたり、複数の構成要素が有する機能を１つの構成要素に統合したりしてもよい。また、上記実施形態の構成の一部を省略してもよい。また、上記実施形態の構成の少なくとも一部を、他の上記実施形態の構成に対して付加、置換等してもよい。なお、特許請求の範囲に記載の文言から特定される技術思想に含まれるあらゆる態様が本開示の実施形態である。
【符号の説明】
【００５２】
１…車両用シート（乗物用シート）、４…ベースプレート（支持部）、６…ディスプレイ本体部、１３…シートバック、３１、３２…バックサイドフレーム（サイドフレーム）、３３…バックアッパフレーム（アッパフレーム）、３４、３５…取付ブラケット、３６…駆動部、３３０…収容空間、３３１…前面部、３３２…上面部、３３３…下面部、３３４…開口部、３４１、３５１…第１の取付面、３４２、３５２…第２の取付面
【図１】
2017210160.tif 000003
【図２】
2017210160.tif 000004
【図３】
2017210160.tif 000005
【図４】
2017210160.tif 000006
【図５】
2017210160.tif 000007
【図６】
2017210160.tif 000008
【図７】
2017210160.tif 000009
【図８】
2017210160.tif 000010